(57)【要約】【課題】  ファスナーの装着されている袋体に後から取り付け可能で、ファスナーの端部からも取り付け可能であり、且つ一旦袋体のファスナーに取り付けても取り外し易く、他の袋体のファスナーにも簡単に取り付け、取り外しやすいファスナー用スライダを提供する。【解決手段】  ファスナーの係合状態の雄係合部材と雌係合部材とを分離する突起部（２Ａ）を形成した一方のスライダ部材（２）と、雌雄の係合部材を係合する狭窄部（３Ｃ）を形成した他方のスライダ部材（３）とより成るファスナー用スライダ１の一方のスライダ部材（２）に、更に二本の突出部（２Ｅ）を設けるとともに、前記他方のスライダ部材（３）にはこの突出部（２Ｅ）を嵌め入れる穴（３Ｆ）を設け、一方のスライダ部材（２）と他方のスライダ部材（３）とを一体嵌合したとき、二本の突出部（２Ｅ）が前記他方の係合部材（３）の穴（３Ｆ）から突出する嵌合構造とする。【選択図】    図１
2010154995.tif 000002
【特許請求の範囲】
【請求項１】
袋体の口部に設けられ一方の内側に凸条部を設けた雄係合部材と他方の内側面に前記凸条部を係脱自在に嵌め入れる嵌合溝を設けた雌係合部材とより成るファスナーの係合状態の雄係合部材と雌係合部材とを分離する突起部を形成した一方のスライダ部材と、前記雄係合部材と前記雌係合部材とを係合する狭窄部を形成した他方のスライダ部材とより成り、これら一方のスライダ部材と他方のスライダ部材とを嵌合してなるファスナー用スライダにおいて、
前記一方のスライダ部材にはさらに他方の係合部材方向に伸びる二本の突出部を設けるとともに、前記他方のスライダ部材には前記二本の突出部を嵌め入れる穴を設け、前記一方のスライダ部材と他方のスライダ部材とを一体嵌合したとき、前記一方の係合部材に設けた二本の突出部が前記他方の係合部材の穴から突出する嵌合構造としたことを特徴とするファスナー用スライダ。
【請求項２】
前記二本の突出部を設けた一方のスライダ部材側には段部を形成し、前記二本の突出部を嵌め入れる穴を設けた他方のスライダ部材側には前記段部に嵌合する突出部を形成した嵌合構造とすることを特徴とする請求項１に記載のファスナー用スライダ。
【請求項３】
前記二本の突出部を設けた一方のスライダ部材側には突出部を形成し、前記二本の突出部を嵌め入れる穴を設けた他方のスライダ部材側には前記突出部と嵌合する段部を形成した嵌合構造とすることを特徴とする請求項１に記載のファスナー用スライダ。
【請求項４】
前記ファスナーの係合状態の雄係合部材と雌係合部材とを分離する一方のスライダ部材に形成した突起部には、その先端部に膨出部を形成したことを特徴とする請求項１乃至請求項３の何れかに記載のファスナー用スライダ。
【発明の詳細な説明】
【技術分野】
【０００１】
本発明は、既存のファスナー付包装用袋体に使用することのできるスライダ、特にファスナを設けた包装用袋体に後付けすることが可能で、分割型として形成し、これらを嵌合させて一つのスライダとしてファスナーを開閉自在とすることのできるファスナー用スライダに関する。
【背景技術】
【０００２】
従来より、合成樹脂フィルム製の包装用袋体には、ファスナー（チャックともいう）付の包装用袋体が使用されることが多い。かかる包装用袋体のファスナーは、塵埃や水分の侵入を防止したり包装用袋体に入れた物品が遺失したりするのを防止するための手段として設けられている。従来のファスナー付の包装用袋体の殆どはこのファスナーを手で開閉するか、或いはファスナーを開閉するためのスライダが取り付けられている。即ち、スライダを用いる場合、図８に示すように、包装用袋体Ｗの口部Ｅには開閉用のスライダ付ファスナーＦが設けられる。このスライダ１０は、矢印Ｒ方向にスライドさせるとファスナーＦが開口され、矢印Ｓ方向にスライドさせるとファスナーＦは閉鎖される。
【０００３】
従来の前記ファスナーＦは、図９に取り付け状態の斜視図を示すが、図１０（Ａ）に示すように、一方の内側面Ｗ1 に凸条部Ｆ３を設けた雄係合部材Ｆ１と、他方の内側面Ｗ2 に前記凸条部Ｆ３を係脱自在に嵌め入れる凹状の係合溝Ｆ４を設けた雌係合部材Ｆ２と、がそれぞれ袋体の口部Ｅの内側に接着して設けられる。そして当初は包装用袋体ＷのファスナーＦが閉じているときは図１０（Ａ）に示すように、雄係合部材Ｆ１の凸条部Ｆ３と、雌係合部材Ｆ２の係合溝Ｆ４とは嵌合状態であるが、包装用袋体Ｗの口部Ｅを開けるときには図１０（Ｂ）に示すように、スライダ１０の突起部１０Ａを、ファスナーＦの凸条部Ｆ３と係合溝Ｆ４との間に割り込ませて位置させ、該スライダ１０をスライド（移動）させると、口部Ｅは開口状態となり、包装用袋体Ｗの口部Ｅを閉じるときには図１０（Ｃ）に示すように、スライダ１０の狭窄部１０Ｃを、雄係合部材Ｆ１と雌係合部材Ｆ２の間の外側に位置させて該スライダ１０をスライド（移動）させると、狭窄部１０ｃが包装用袋体Ｗの口部Ｅを両側から圧迫して口部Ｅは閉鎖状態となる。
【０００４】
図１１（Ａ）は、前記従来のスライダ１０の斜視図であり、図１１（Ｂ）は、その半割にした状態の斜視である。これらの図では、内容が判りやすいように実際の使用状態とは上下逆向き（突起部１０Ａと狭窄部１０Ｃが上方に向いている）としてある。これらの図に示すように、従来のスライダ１０は、中央の広くした中心線方向片側寄りの内側空間１０Ｅに立設させた突起部１０Ａと、底部１０Ｂの両側に立設させた両側壁１０Ｄ、１０Ｄと、他方の片側寄りに空間の狭い狭窄部１０Ｃを形成した壁部１０Ｆ、１０Ｆと、で構成されている。該スライダ１０は、包装用袋体Ｗの口部Ｅに設けたファスナーＦに、後から係止させることも可能である。このような構成により、上記するように、スライダ１０を取り付ける場合、スライダ１０の突起部１０Ａを上から割り込ませると共に狭窄部１０Ｃで包装用袋体Ｗの口部Ｅの外側の両側かから挟み込ませるように取り付ける。こうして前記スライダ１０を矢印Ｒ方向（図８）へスライドさせるとスライダ１０はファスナーＦの口部Ｅを開口し、矢印Ｓ方向へスライドさせるとファスナーＦの口部Ｅを閉鎖することができる。
【０００５】
図９に示すようなスライダが最も便利であるが、製作用の金型は少し複雑化せざるを得ない。そこで本出願人は、図１２及び図１３に示すような嵌合式のファスナー用スライダを提案した。即ち、ファスナー用のスライダが、袋体の口部に設けられ一方の内側面に凸条部を設けた雄係合部材と他方の内側面に前記凸条部を係脱自在に嵌め入れる嵌合溝を設けた雌係合部材とより成るファスナーのこれら雄係合部材と雌係合部材とを分離する突起部を形成した一方のスライダ部材（２）と、これら雄係合部材と雌係合部材とを嵌合する狭窄部（３Ｃ）を形成した他方のスライダ部材（３）と、より成るスライダ（１）であって、前記一方のスライダ部材（２）と他方のスライダ部材（３）とが一体となる嵌合構造としたことを特徴としたファスナー用スライダである（特許文献１）。
そして、前記突起部（２Ａ）を設けた一方のスライダ部材（２）の両側には側壁（２Ｃ、２Ｃ）を形成し、他方のスライダ部材（３）の狭窄部（３Ｃ）の両側に柱部（３Ａ、３Ａ）を形成すると共に該柱部（３Ａ）の両外側に凹部（３Ｅ、３Ｅ）を形成し、前記側壁（２Ｃ）を前記凹部（３Ｅ）に嵌合させる嵌合構造とすることを特徴としている。
【０００６】
【特許文献１】特願２００８−１４８２３１
【発明の開示】
【発明が解決しようとする課題】
【０００７】
引用文献１の発明のスライダ１は、包装用袋体Ｗの口部に設けたファスナーＦを完全に密閉することができる。即ち、包装用袋体Ｗの口部の端部の外側から一方のスライド部材２を横から割り込ませ、他方のスライド部材３は口部Ｅの上から狭窄部で挟み込むように取り付けることができるので、口部Ｅに設けたファスナーＦは端から端まで密封することができる。従って、包装用袋体Ｗの内部に入れた小さい物品はこぼれ出にくくなる。しかしながら、このファスナー用スライダは、一方のスライダ部材２と、他方のスライダ部材３とを一体に嵌合したとき、嵌合を解いて元の一方のスライダ部材２と、他方のスライダ部材３とに分解しにくいという問題が生じていた。袋体のファスナーに取り付けた場合、必ずしも元の状態に分解する必要はないが、一旦取り外して他の袋体に付け替える場合は分解しにくいと不便である。
【０００８】
本発明は、上記の事情を考慮してなされたものであり、ファスナーの装着されている包装用袋体に後から取り付け可能で、構造が比較的簡単でファスナーの端部からも取り付け可能であり、且つ一旦袋体のファスナーに取り付けても取り外し易く、他の袋体のファスナーにも簡単に取り付けや取り外しがしやすいファスナー用スライダを提供することを目的としている。
【課題を解決するための手段】
【０００９】
上記の目的を達成するため、本発明に係るファスナー用スライダは、請求項１に記載の発明が、袋体（Ｗ）の口部（Ｅ）に設けられ一方の内側に凸条部（Ｆ３）を設けた雄係合部材（Ｆ１）と他方の内側面に前記凸条部を係脱自在に嵌め入れる嵌合溝（Ｆ４）を設けた雌係合部材（Ｆ２）とより成るファスナーの係合状態の雄係合部材（Ｆ１）と雌係合部材（Ｆ２）とを分離する突起部（２Ａ）を形成した一方のスライダ部材（２）と、前記雄係合部材（Ｆ１）と前記雌係合部材（Ｆ２）とを係合する狭窄部（３Ｃ）を形成した他方のスライダ部材（３）とより成り、これら一方のスライダ部材（２）と他方のスライダ部材（３）とを嵌合してなるファスナー用スライダにおいて、
前記一方のスライダ部材（２）にはさらに他方の係合部材方向に伸びる二本の突出部（２Ｅ、２Ｅ）を設けるとともに、前記他方のスライダ部材（３）には前記二本の突出部（２Ｅ、２Ｅ）を嵌め入れる穴（３Ｆ）を設け、前記一方のスライダ部材（２）と他方のスライダ部材（３）とを一体嵌合したとき、前記一方の係合部材（２）に設けた二本の突出部（２Ｅ、２Ｅ）が前記他方の係合部材（３）の穴（３Ｆ）から突出する嵌合構造としたことを特徴としている。
【００１０】
また、請求項２に記載の発明は、前記二本の突出部（２Ｅ、２Ｅ）を設けた一方のスライダ部材（２）側には段部（２Ｇ、２Ｇ）を形成し、前記二本の突出部（２Ｅ、２Ｅ）を嵌め入れる穴（３Ｆ）を設けた他方のスライダ部材側（３）には前記段部（２Ｇ、２Ｇ）に嵌合する突出部（３Ｇ、３Ｇ）を形成した嵌合構造とすることを特徴としている。
【００１１】
また、請求項３に記載の発明は、前記二本の突出部（２Ｅ、２Ｅ）を設けた一方のスライダ部材（２）側には前記突出部（３Ｇ）と同様の突出部を形成し、前記二本の突出部（２Ｅ、２Ｅ）を嵌め入れる穴（３Ｆ）を設けた他方のスライダ部材（３）側には前記突出部（３Ｇ、３Ｇ）と嵌合する段部（２Ｇ、２Ｇ）と同様の段部を形成した嵌合構造とすることを特徴としている。
【００１２】
また、請求項４に記載の発明は、前記ファスナーの係合状態の雄係合部材（Ｆ１）と雌係合部材（Ｆ２）とを分離する一方のスライダ部材（２）に形成した突起部（２Ａ）には、その先端部に膨出部（２Ｐ）を形成したことを特徴としている。
【発明の効果】
【００１３】
上記手段とした本発明のファスナー用スライダによれば、突起部のある一方のスライダ部材と狭窄部のある他方のスライダ部材とを別々に製作し、容易に嵌合して一体とし、通常のスライダと同様のスライダとすることができる。このスライダは、閉鎖状態のファスナーの間に突起部のある一方のスライダ部材を容易に割り込ませてファスナーを開くことができる。また、一旦袋体の口部にファスナーを開閉できるように取り付けたこの発明のファスナー用スライダは、二本の突出部を押すだけで一方のスライダ部材と他方のスライダ部材に分解して取り外すことができる。さらに、前記二本の突出部を設けた一方のスライダ部材側に形成した段部と、嵌合する突出部とを嵌合構造とする（請求項２）ことで嵌合状態は確実なものとすることができる。一方のスライダ部材に突出部を設け、他方のスライダ部材に段部を設けた場合（請求項３）も同様である。
【００１４】
本発明のファスナー用スライダは、別個の二つの部分からなり、一体嵌合させるため金型の構造も簡単であり、安価に製作することができる。また、ファスナーの端部の一方の横から一方のスライダ部材を嵌め込み、別途上から他方のスライダ部材をファスナーの上から入れ、嵌合することができるので、包装用袋体のファスナー端部に隙間を作らないで該包装用袋体を密閉することができる。
【発明を実施するための最良の形態】
【００１５】
以下、図面を参照して本願発明の具体的な実施の形態を詳述する。尚、本出願人が以前に出願した図１１及び図１２に示すファスナー用スライダを構成する符号の共通部分は同一の符号を用いて説明する。
【００１６】
図１は、本発明のファスナー用スライダ１の組立状態の全体斜視図であり、図２（Ａ）は本発明のファスナー用スライダ１を構成する一方のスライダ部材２と、他方のスライダ部材３と、を一体嵌合させる前の状態の分解斜視図である。図２（Ｂ）は、図２（Ａ）に示す一体嵌合させる前の状態の分解斜視図を上下逆にした状態の分解斜視図であり、図２（Ｃ）は、図２（Ｂ）のＰ矢視方向から見た図であり、図３は、図１の組立状態の縦断面斜視図である。図４（Ａ）は、本発明のファスナー用スライダ１の組立状態の平面図であり、図４（Ｂ）は、図４（Ａ）のＭーＭ矢視断面図であり、図４（Ｃ）は、底面図である。また、図５（Ａ）は、図４（Ｂ）のＮーＮ矢視断面図であり、図５（Ｂ）は、図４（Ｂ）のＲーＲ矢視断面図である。
【００１７】
本発明のファスナー用スライダ１は、図１に示すように、ファスナーの係合状態の雄係合部材Ｆ１と雌係合部材Ｆ２（いずれも図９参照）とを分離する突起部２Ａと二本の突出部２Ｅ、２Ｅとを形成した一方のスライダ部材２と、前記雄係合部材Ｆ１と雌係合部材Ｆ２とを係合する狭窄部３Ｃを形成した他方のスライダ部材３とより構成される。そして前記一方のスライダ部材２に形成される突起部２Ａは、底部２Ｂ（図３参照）に立設させ、二本の突出部２Ｅ、２Ｅは前記他方のスライダ部材３方向に伸びるように設けられる。また、前記他方のスライダ部材３には前記二本の突出部２Ｅ、２Ｅを嵌め入れる穴３Ｆを設けてある。そして、前記一方のスライダ部材２と他方のスライダ部材３とを一体嵌合したとき、前記一方の係合部材２に設けた二本の突出部２Ｅ、２Ｅが前記他方の係合部材３の穴３Ｆから突出するような嵌合構造としてある。
【００１８】
一方のスライダ部材２の突起部２Ａは、底部２Ｂの中央に立設され、前記二本の突出部２Ｅ、２Ｅは、該底部２Ｂの両側に立設した側壁部２Ｃ、２Ｃのそれぞれ内壁側に設けられる。尚、前記突起部２Ａは、その先端部が少し膨らむような膨出部２Ｐが形成されている。この膨出部２Ｐは突起部２Ａをファスナの雄係合部材Ｆ１と雌係合部材Ｆ２に割り込ませたときスライダ１が外れにくくするためのものである（図６参照）。
また、前記他方のスライダ部材３に設ける穴３Ｆは、前記一方のスライダ部材２と該他方のスライダ部材３とを一体としたとき前記二本の突出部２Ｅ、２Ｅが丁度嵌まる位置に設けてある。この場合、これら二本の突出部２Ｅ、２Ｅが前記他方の係合部材の穴３Ｆから少し突出するようにしてあるが、これは、図１に示す状態のとき、これら二本の突出部２Ｅ、２Ｅを両側から指で押すことができるようにするためである。こうして指で押すと、弾性変形してこれら二本の突出部２Ｅ、２Ｅの間隔が狭まり、穴３Ｆから外れやすくなる。このように二本の突出部２Ｅ、２Ｅ間が狭まり、穴３Ｆから外れやすくなると、袋体ＷのファスナーＦからも外れやすくなり、スライダ１を外し交換しやすくなり、便利である。
【００１９】
次に、図２（Ａ）、図２（Ｂ）に示すように、前記一方のスライダ部材２の二本の突出部２Ｅ、２Ｅの反対側（下側）の内壁部には段部２Ｇ、２Ｇを形成し、他方のスライダ部材３の前記二本の突出部２Ｅ、２Ｅを嵌め入れる穴３Ｆを設けた他方のスライダ部材３側（下側）には前記段部２Ｇ、２Ｇに嵌合する突出部３Ｇ、３Ｇを形成した嵌合構造とする。このように段部２Ｇと突出部３Ｇとの嵌合により一方のスライダ部材２と他方のスライダ部材３とはしっかりとした嵌合構造となる。
【００２０】
或いは、前記二本の突出部２Ｅ、２Ｅを設けた前記一方のスライダ部材２側には突出部３Ｇと同様の突出部を形成し、前記二本の突出部２Ｅ、２Ｅを嵌め入れる穴３Ｆを設けた前記他方のスライダ部材３の側には前記段部２Ｇと同様の段部を形成して嵌合構造としても良い。
【００２１】
図５（Ａ）に示すように、前記突出部２Ｅ、２Ｅを設けた一方のスライダ部材２の内壁面２Ｈ、２Ｈはテーパ状として包装用袋体Ｗの口部Ｅに嵌め入れ易くしてある。また、他方のスライダ部材３の穴３Ｆの内側側面には段部３Ｈ、３Ｈが形成され、一方のスライダ部材２の突出部２Ｅ、２Ｅにはこれらの段部３Ｈ、３Ｈと嵌まるよう凸部２Ｉ、２Ｉが形成されている。この嵌合により一方のスライダ部材２と他方のスライダ部材３とを一体嵌合させたときこれらが外れにくくなり、安定的な嵌合状態とすることができる。
また、図５（Ｂ）に示すように、一方のスライダ部材２の突起部２Ａには先端部部が少し膨らむような  膨出部２Ｐが形成されている。これは、図６に示すように、突起部２Ａがファスナの雄係合部材Ｆ１と雌係合部材Ｆ２に割り込ませたときスライダ１が外れにくくなる。
【００２２】
図７は、本発明のファスナー用スライダ１をファスナーのある包装用袋Ｗに実際に取り付けた状態の斜視図である。図８（Ａ）は包装用袋ＷのファスナーＦに本発明のファスナー用スライダ１を取り付ける途中の斜視図であり、図８（Ｂ）は、本発明のファスナー用スライダ１を取り付けた状態の斜視図である。先ず袋体Ｗの閉鎖状態の口部Ｅに一方スライダ部材２の突起２Ａを押す嵌合部材Ｆ１の凸条部３Ｆと雌嵌合部材Ｆ２の嵌合溝Ｆ４とを分離するように入れる。次に、他方のスライダ部材３の狭窄部３Ｃで袋体Ｗの口部Ｅを挟み込んで嵌め入れ、一方のスライダ部材２の二本の突出部２Ｅ、２Ｅを他方のスライダ部材３の穴３Ｆに嵌め入れる。また、同時に一方のスライダ部材２に設けた段部２Ｇ、２Ｇに他方のスライダ部材３に設けた突出部３Ｇ、３Ｇを嵌め込む。こうすると図８（Ｂ）に示すように、一方のスライダ部材２と他方のスライダ部材３とがしっかり嵌合した状態で一体となる。そして、スライダ１を左右に移動させると袋体Ｗの口部Ｅに設けたファスナーＦを開閉することができる。
【００２３】
一方、袋体Ｗの口部Ｅに嵌め入れたスライダ１を取り外すときには、図８（Ｂ）に示す、他方のスライダ部材３の穴３Ｆから少し出た一方のスライダ部材の二本の突出部２Ｅ、２Ｅを押すと、これらは弾性変形して少し穴３Ｆより小さくなるので外しやすくなる。この状態で図８（Ａ）に示すように、取り付ける場合は逆に一方のスライダ部材２と他方のスライダ部材３とを分解して袋体Ｗから外ずし、他の包装用袋体Ｗの口部Ｅに嵌めることができる。
【図面の簡単な説明】
【００２４】
【図１】本発明のファスナー用スライダ１の組立状態の全体斜視図である。
【図２】図２（Ａ）は本発明のファスナー用スライダを構成する一方のスライダ部材と、他方のスライダ部材と、を一体嵌合させる前の状態の分解斜視図である。図２（Ｂ）は、図２（Ａ）に示す一体嵌合させる前の状態の分解斜視図を上下逆にした状態の分解斜視図であり、図２（Ｃ）は、図２（Ｂ）のＰ矢視方向から見た図である。
【図３】図３は、図１の組立状態の縦断面斜視図である。
【図４】図４（Ａ）は、本発明のファスナー用スライダ１の組立状態の平面図であり、図４（Ｂ）は、図４（Ａ）のＸーＸ矢視断面図であり、図４（Ｃ）は、底面図である。
【図５】図５（Ａ）は、図４（Ｂ）のＹーＹ矢視断面図であり、図５（Ｂ）は、図４（Ｂ）のＺーＺ矢視断面図である。
【図６】ファスナにスライダを取り付けた場合の図５（Ｂ）と同じ方向から見た断面図であって、一方のスライダ部材の突起部がファスナの間に割り込ませた状態を示す図である。
【図７】包装用袋体の口部に設けたファスナーに、本発明のファスナー用スライダを取り付けた状態の斜視図である。
【図８】図８（Ａ）は、包装用袋体の口部の端部の外側から一方のスライド部材の突起部を横から割り込ませ、他方のスライド部材は口部Ｅの上から狭窄部で挟み込むように取り付ける状態の図を示し、図８（Ｂ）は、一方のスライド部材と他方のスライド部材とを一体に嵌合した状態を示す図である。
【図９】従来の包装用袋体の口部に設けたファスナーに取り付けたスライダの斜視図である。
【図１０】図１０（Ａ）は、通常の包装用袋体に設けるファスナーの構造を示す図であり、図１０（Ｂ）は、閉じてあるファスナーにスライダの突起部を割り込ませてファスナーを開ける状態を示す図であり、図１０（Ｃ）は、開いてあるファスナーをスライダの狭窄部で閉じる状態を示す図である。
【図１１】図１１（Ａ）は、従来のスライダの構成を示す全体斜視図であり、図１１（Ｂ）は、その半割にした状態の斜視である。
【図１２】本出願人が本出願の前に出願したファスナー用スライダの全体斜視図である。
【図１３】本出願人が本出願の前に出願したファスナー用スライダを構成する一方のスライダ部材と他方のスライダ部材とを一体嵌合させる前の状態の斜視図である。
【符号の説明】
【００２５】
１    スライダ
２    一方のスライダ部材
２Ａ  一方のスライダ部材の突起部
２Ｂ  一方のスライダ部材の底部
２Ｃ  一方のスライダ部材の側壁
２Ｐ  膨出部
３    他方のスライダ部材
３Ｃ  他方のスライダ部材の狭窄部
【図１】
2010154995.tif 000003
【図２】
2010154995.tif 000004
【図３】
2010154995.tif 000005
【図４】
2010154995.tif 000006
【図５】
2010154995.tif 000007
【図６】
2010154995.tif 000008
【図７】
2010154995.tif 000009
【図８】
2010154995.tif 000010
【図９】
2010154995.tif 000011
【図１０】
2010154995.tif 000012
【図１１】
2010154995.tif 000013
【図１２】
2010154995.tif 000014
【図１３】
2010154995.tif 000015